(57)【要約】 【課題】  熱湯が注がれて抽出袋内に熱湯が貯留しても、抽出袋が沈み込みにくいカップ上載置式支持具付き嗜好飲料抽出袋を提供する。【解決手段】  嗜好飲料被抽出物が収納密封されている略四辺形の抽出袋１に、支持具２が貼着されてなる。支持具２は、抽出袋１の表面に片面２ａが貼着され、抽出袋１の裏面に他の片面２ｂが貼着されている。なお、２ａと２ｂは同一形状である。支持具２の片面２ａ及び他の片面２ｂの下端部には、右舌片及び左舌片８ａ，８ｂと中央舌片９ａ，９ｂが設けられている。また、支持具２の片面２ａ及び他の片面２ｂには、幅の中央に長手方向に延びる第一弱め線６ａ，６ｂが設けられている。第一弱め面６ａ，６ｂの略中央から抽出袋１の右下方及び左下方へ向かう第二弱め線７ａ，７ｂが分岐している。【選択図】  図３
2012090775.tif 000002
【特許請求の範囲】
【請求項１】
嗜好飲料被抽出物が収納密封されている略四辺形の抽出袋１と、前記略四辺形の抽出袋１の上縁を中心線として線対称となっている支持具２の片面２ａを前記略四辺形の抽出袋１の表面に、他の片面２ｂを前記略四辺形の抽出袋１の裏面に貼着させてなるカップ上載置式支持具付き嗜好飲料抽出袋において、
前記抽出袋１及び前記支持具２の上部に切り取り線３が設けられ、切り取り線３を引き裂くことによって、前記抽出袋１の上部及び前記支持具２の上部が重合されてなる切除片５が除去されることによって、前記抽出袋１の中央上部に開口が形成され、
前記切り取り線３の切除片５側の反対側には、前記切り取り線３に沿って、前記抽出袋１の表面と前記支持具２の片面２ａ及び前記抽出袋１の裏面と前記支持具２の他の片面２ｂとを貼着する接着部４ａ，４ｂが設けられており、
前記支持具２の片面２ａ及び他の片面２ｂの下端部には、右舌片及び左舌片８ａ，８ｂと中央舌片９ａ，９ｂが設けられており、
前記支持具２の片面２ａ及び他の片面２ｂには、線対称となる中心線と直交する第一弱め線６ａ，６ｂが、前記支持具２の中央に設けられており、
前記第一弱め面６ａ，６ｂから前記抽出袋１の右下方及び左下方へ向かう第二弱め線７ａ，７ｂが分岐しており、前記分岐は前記接着部４ａ，４ｂと前記中央舌片９ａ，９ｂの間の略中央に設けられていることを特徴とするカップ上載置式支持具付き嗜好飲料抽出袋。
【請求項２】
第一弱め線６ａと第二弱め線７ａとで形成される下方側の角θａが６０〜８０°であり、第一弱め線６ｂと第二弱め線７ｂとで形成される下方側の角θｂが６０〜８０°である請求項１記載のカップ上載置式支持具付き嗜好飲料抽出袋。
【請求項３】
支持具２の片面２ａ及び他の片面２ｂの長手方向両端が、第二弱め線７ａ，７ｂと左右舌片８ａ，８ｂの間において、内側に湾曲している請求項１記載のカップ上載置式支持具付き嗜好飲料抽出袋。
【請求項４】
カップ１０上に載置したとき、中央舌片９ａ，９ｂがカップ１０の縁の内側に位置し、右舌片及び左舌片８ａ，８ｂがカップ１０の縁の外側に位置する請求項１記載のカップ上載置式支持具付き嗜好飲料抽出袋。
【請求項５】
抽出袋１の右下方及び左下方へ向かう第二弱め線７ａ，７ｂに代えて、抽出袋１の右上方及び左上方へ向かう第二弱め線７ａ，７ｂを設けた請求項１記載のカップ上載置式支持具付き嗜好飲料抽出袋。
【請求項６】
第一弱め線６ａと第二弱め線７ａとで形成される上方側の角θａが６０〜８０°であり、第一弱め線６ｂと第二弱め線７ｂとで形成される上方側の角θｂが６０〜８０°である請求項５記載のカップ上載置式支持具付き嗜好飲料抽出袋。
【請求項７】
支持具２の片面２ａ及び他の片面２ｂの長手方向両端が、第二弱め線７ａ，７ｂと左右舌片８ａ，８ｂの間において、内側に湾曲している請求項５記載のカップ上載置式支持具付き嗜好飲料抽出袋。
【請求項８】
カップ１０上に載置したとき、中央舌片９ａ，９ｂがカップ１０の縁の外側に位置し、右舌片及び左舌片８ａ，８ｂがカップ１０の縁の内側に位置する請求項４記載のカップ上載置式支持具付き嗜好飲料抽出袋。
【発明の詳細な説明】
【技術分野】
【０００１】
本発明は、ドリップ方式でコーヒーや紅茶を入れるのに用いるカップ上載置式支持具付き嗜好飲料抽出袋に関し、特にカップの上に支持具を介して嗜好飲料抽出袋を載置して、ドリップ方式による抽出操作が安定して行えるようにしたカップ上載置式支持具付き嗜好飲料抽出袋に関するものである。
【背景技術】
【０００２】
従来より、不織布製等の抽出袋と、抽出袋の開口部を覆ってカップの縁に当接する紙製等の支持具とよりなるカップ上載置式支持具付き嗜好飲料抽出袋が知られている。たとえば、特許文献１には、略四辺形の抽出袋２１の表面に、抽出袋２１よりもやや幅狭の支持具２２ａの上方が貼着され、抽出袋２１の裏面に支持具２２ｂの上方が貼着されてなるカップ上載置式支持具付き嗜好飲料抽出袋が記載されている（図１）。なお、支持具２２ａと２２ｂとは同一形状を持つものであり、表面に貼着されているものを２２ａとし、裏面に貼着されているものを２２ｂとしているので、裏面の２２ｂは図示されない。そして、支持具２２ａ，２２ｂの下方には、カップの上に載置したとき、カップの縁の外側に位置するループ２３ａ，２３ｂ及びカップの縁の内側に位置するループ２４ａ，２４ｂが形成されている。
【０００３】
特許文献１に記載されたカップ上載置式支持具付き嗜好飲料抽出袋を、カップ上に載置してコーヒー等をドリップしたときの状態は図２に示されている。すなわち、ループ２３ａ，２３ｂ，２４ａ及び２４ｂでカップ上に安定に載置され、熱湯が抽出袋２１の開口へ注がれて、コーヒー等が入れられるのである。
【０００４】
【特許文献１】特開２００６−７６６００号公報
【発明の開示】
【発明が解決しようとする課題】
【０００５】
上記したカップ上載置式支持具付き嗜好飲料抽出袋は熱湯が注がれ、抽出袋２１内に熱湯が貯留すると、重くなって下方に沈み込むということがあった。特許文献１記載のカップ上載置式支持具付き嗜好飲料抽出袋において、支持具２２ａ，２２ｂを比較的剛直な厚紙で形成したり、抽出袋２１の表裏面と支持具２２ａ，２２ｂの上方の貼着領域を広くすれば、かかる沈み込みは防止しうる。しかしながら、支持具２２ａ，２２ｂを剛直さに欠ける紙で形成したり、抽出袋２１の表裏面と支持具２２ａ，２２ｂの上方の貼着領域を狭くすると、コーヒー等のドリップ時に抽出袋２１が下方に沈み込み、コーヒー等に抽出袋２１が浸かってしまう恐れがあった。本発明の課題は、支持具の形態を工夫することにより、かかる沈み込みを防止することにある。
【課題を解決するための手段】
【０００６】
すなわち、本発明は、嗜好飲料被抽出物が収納密封されている略四辺形の抽出袋１と、前記略四辺形の抽出袋１の上縁を中心線として線対称となっている支持具２の片面２ａを前記略四辺形の抽出袋１の表面に、他の片面２ｂを前記略四辺形の抽出袋１の裏面に貼着させてなるカップ上載置式支持具付き嗜好飲料抽出袋において、前記抽出袋１及び前記支持具２の上部に切り取り線３が設けられ、切り取り線３を引き裂くことによって、前記抽出袋１の上部及び前記支持具２の上部が重合されてなる切除片５が除去されることによって、前記抽出袋１の中央上部に開口が形成され、前記切り取り線３の切除片５側の反対側には、前記切り取り線３に沿って、前記抽出袋１の表面と前記支持具２の片面２ａ及び前記抽出袋１の裏面と前記支持具２の他の片面２ｂとを貼着する接着部４ａ，４ｂが設けられており、前記支持具２の片面２ａ及び他の片面２ｂの下端部には、右舌片及び左舌片８ａ，８ｂと中央舌片９ａ，９ｂが設けられており、前記支持具２の片面２ａ及び他の片面２ｂには、線対称となる中心線と直交する第一弱め線６ａ，６ｂが、前記支持具２の中央に設けられており、前記第一弱め面６ａ，６ｂから前記抽出袋１の右下方及び左下方へ向かう第二弱め線７ａ，７ｂが分岐しており、前記分岐は前記接着部４ａ，４ｂと前記中央舌片９ａ，９ｂの間の略中央に設けられていることを特徴とするカップ上載置式支持具付き嗜好飲料抽出袋に関するものである。
【０００７】
また、本発明は、上記したカップ上載置式支持具付き嗜好飲料抽出袋において、抽出袋１の右下方及び左下方へ向かう第二弱め線７ａ，７ｂに代えて、抽出袋１の右上方及び左上方へ向かう第二弱め線７ａ，７ｂを設けたカップ上載置式支持具付き嗜好飲料抽出袋に関するものである。
【発明の効果】
【０００８】
本発明に係るカップ上載置式支持具付き嗜好飲料抽出袋の切り取り線３を引き裂いて切除片５を取り除いた後、支持具２の片面２ａ及び他の片面２ｂの下方両端部を手指で把持して、抽出袋１の開口を大きく広げる。そうすると、第二弱め線７ａ，７ｂで略直角に折り曲げられると共に、この第二弱め線７ａ，７ｂが抽出袋１の右下方及び左下方へ向かうものである場合には、第二弱め線７ａ，７ｂよりも下方の第一弱め線６ａ，６ｂは谷折りとなり、第二弱め線７ａ，７ｂよりも上方の第一弱め線６ａ，６ｂは山折りとなる。この状態で、カップの上に載置すると、第二弱め線７ａ，７ｂよりも下方の第一弱め線６ａ，６ｂは谷折りとなっているので、右舌片及び左舌片８ａ，８ｂがカップ１０の縁の外側に位置し、中央舌片９ａ，９ｂはカップ１０の縁の内側に位置し、カップ１０の縁が右舌片及び左舌片８ａ，８ｂと中央舌片９ａ，９ｂで挟まれて安定に載置される。一方、抽出袋１の開口から延びる、第二弱め線７ａ，７ｂよりも上方の第一弱め線６ａ，６ｂは山折りとなっているので、支持具２の片面２ａ及び他の片面２ｂは上方を向いている。したがって、抽出袋１に熱湯が貯留して重くなっても、支持具２の片面２ａ及び他の片面２ｂが下方へ沈み込みにくいという効果を奏する。
【０００９】
また、この第二弱め線７ａ，７ｂが抽出袋１の右上方及び左上方へ向かうものである場合には、第二弱め線７ａ，７ｂよりも下方の第一弱め線６ａ，６ｂは山折りとなり、第二弱め線７ａ，７ｂよりも上方の第一弱め線６ａ，６ｂも谷折りとなる。この状態で、カップの上に載置すると、第二弱め線７ａ，７ｂよりも下方の第一弱め線６ａ，６ｂは山折りとなっているので、右舌片及び左舌片８ａ，８ｂがカップ１０の縁の内側に位置し、中央舌片９ａ，９ｂはカップ１０の縁の外側に位置し、カップ１０の縁が右舌片及び左舌片８ａ，８ｂと中央舌片９ａ，９ｂで挟まれて安定に載置される。一方、抽出袋１の開口から延びる、第二弱め線７ａ，７ｂよりも上方の第一弱め線６ａ，６ｂは谷折りとなっている。したがって、第二弱め線７ａ，７ｂより上方の支持具２の片面２ａ及び他の片面２ｂが平板となっている場合に比べて、変形しにくい。よって、抽出袋１に熱湯が貯留して重くなっても、支持具２の片面２ａ及び他の片面２ｂが下方へ沈み込みにくいという効果を奏する。
【図面の簡単な説明】
【００１０】
【図１】図１は特許文献１に記載されているカップ上載置式支持具付き嗜好飲料抽出袋の正面図である。
【図２】図２は図１のカップ上載置式支持具付き嗜好飲料抽出袋の使用状態を示す斜視図である。
【図３】図３は本発明の一例に係るカップ上載置式支持具付き嗜好飲料抽出袋の正面図である。
【図４】図４は図３のカップ上載置式支持具付き嗜好飲料抽出袋から切除片を除去して抽出袋の口を開けた状態を示す正面図である。
【図５】図５は図４のカップ上載置式支持具付き嗜好飲料抽出袋をカップの上に載置した状態を示す平面図である。
【図６】図６は本発明の他の一例に係るカップ上載置式支持具付き嗜好飲料抽出袋の正面図である。
【図７】図７は図６のカップ上載置式支持具付き嗜好飲料抽出袋から切除片を除去して抽出袋の口を開けた状態を示す正面図である。
【図８】図８は図７のカップ上載置式支持具付き嗜好飲料抽出袋をカップの上に載置した状態を示す平面図である。
【発明を実施するための形態】
【００１１】
図３は本発明の一例に係るカップ上載置式支持具付き嗜好飲料抽出袋の正面図である。１は略四辺形の抽出袋であり、その中に嗜好飲料被抽出物（図示せず）が収納密封されている。２は支持具であり、抽出袋１の上縁を中心線として線対称となっており、支持具２の片面２ａは抽出袋１の表面に貼着されており、支持具２の他の片面２ｂは抽出袋１の裏面に貼着されている。なお、支持具２の片面２ａと他の片面２ｂとは同一形状を持つものであり、表面に貼着されているものを２ａと、裏面に貼着されているものを２ｂと表現している。また、符号ａ又はｂが付加されていないものは、表裏面を含めて表現している。抽出袋１及び支持具２の上縁近傍には切り取り線３が、表裏に亙って設けられている。切り取り線３はミシン目等で構成されており、抽出袋１及び支持具２を貫通して設けられている。したがって、切り取り線３を引き裂くことによって、抽出袋１及び支持具２の上部が重合されてなる切除片５が除去され、抽出袋１が開口する（図４）。
【００１２】
切り取り線３の切除片５の反対側には、切り取り線３に沿って接着部４ａ，４ｂが設けられており、この接着部４ａ，４ｂで支持具２が抽出袋１の表裏面に貼着している。したがって、切除片５を除去した後も、支持具２は抽出袋１の表裏面に貼着した状態を維持する。そして、支持具２の各下端部には、カップの上縁に係合する右舌片及び左舌片８ａ，８ｂと中央舌片９ａ，９ｂが設けられている。なお、第二弱め線７ａ，７ｂの上方と接着部４ａ，４ｂの間において、支持具の片面２ａ，２ｂと抽出袋１とを部分的に貼着させるその他の接着部を任意に設けてもよい。
【００１３】
支持具２の片面２ａ及び他の片面２ｂには、線対称となる中心線、すなわち、抽出袋１の上縁と直交する第一弱め線６ａ，６ｂが、支持具２の中央に設けられている。そして、第一弱め面６ａ，６ｂから抽出袋１の右下方及び左下方へ向かう第二弱め線７ａ，７ｂが分岐している。この分岐は、接着部４ａ，４ｂと中央舌片９ａ，９ｂの間の略中央を分岐点としている。第一弱め線６ａと第二弱め線７ａとで形成される下方側の角θａは鋭角であればよく、特に６０〜８０°であるのが好ましい。また、第一弱め線６ｂと第二弱め線７ｂとで形成される下方側の角θｂもθａの場合と同様である。弱め線としては、従来周知のもので構成され、たとえばミシン目や折り筋等で構成されている。
【００１４】
上記したカップ上載置式支持具付き嗜好飲料抽出袋の使用方法は、以下のとおりである。まず、図３に示したカップ上載置式支持具付き嗜好飲料抽出袋を最終消費者が購入する。そして、切り取り線３を引き裂くことにより、切除片５を除去する。そうすると、抽出袋１が開口し、図４に示した形態となる。その後、支持具２ａ，２ｂの長手方向両端で、第二弱め線７ａ，７ｂと左右舌片８ａ，８ｂの間を手指で把持して、左右に引っ張って抽出袋１の開口を広げる。この際、手指で把持しやすいように、支持具２ａ，２ｂの長手方向両端を、第二弱め線７ａ，７ｂと左右舌片８ａ，８ｂの間において内側に湾曲させておくのが好ましい。支持具２ａ，２ｂの長手方向両端の湾曲部を手指で把持して、左右に引っ張ると、支持具２ａ，２ｂは第二弱め線７ａ，７ｂで折曲すると共に、第二弱め線７ａ，７ｂが下方に延びているので、第二弱め線７ａ，７ｂよりも下方にある第一弱め線６ａ，６ｂは谷折りの状態となる。一方、第二弱め線７ａ，７ｂよりも上方にある第一弱め線６ａ，６ｂは山折りの状態になる。この状態で、カップの縁に左右舌片８ａ，８ｂ及び中央舌片９ａ，９ｂが係合するように載置すると、左右舌片８ａ，８ｂはカップの縁の外側に位置し、中央舌片９ａ，９ｂはカップの縁の内側に位置して係合する（図５）。したがって、安定にカップ上載置式支持具付き嗜好飲料抽出袋を載置することができる。
【００１５】
この後、開口から熱湯を注ぐことにより、コーヒー等を抽出することができる。そして、抽出袋１の中に熱湯が貯留しても、支持具２の第一弱め線６ａ，６ｂが山折りの状態になっているので、抽出袋１が重くなっても、カップ内に沈み込むことを防止しうる。
【００１６】
つぎに、他の例を示すと、図６に示した形態のカップ上載置式支持具付き嗜好飲料抽出袋が挙げられる。このカップ上載置式支持具付き嗜好飲料抽出袋は、図３に示したものと、第二弱め線７ａ，７ｂの構成が異なっているだけである。すなわち、図３に示したカップ上載置式支持具付き嗜好飲料抽出袋は、第二弱め線７ａ，７ｂが抽出袋１の右下方及び左下方に向かっているのに対して、図６に示したものは、第二弱め線７ａ，７ｂが右上方及び左上方に向かっている点で異なるのみである。第一弱め線６ａと第二弱め線７ａとで形成される上方側の角θａは鋭角であり、特に６０〜８０°であるのが好ましい。また、第一弱め線６ｂと第二弱め線７ｂとで形成される上方側の角θｂも鋭角であり、特に６０〜８０°であるのが好ましい。
【００１７】
第二弱め線７ａ，７ｂの構成の相違によって、カップ上載置式支持具付き嗜好飲料抽出袋の使用方法が、以下のとおり異なる。まず、切り取り線３を引き裂き、切除片５を除去し、抽出袋１を開口せしめる点は相違がない（図７）。その後、支持具２ａ，２ｂの長手方向両端で、第二弱め線７ａ，７ｂと左右舌片８ａ，８ｂの間の湾曲部を手指で把持して、左右に引っ張って抽出袋１の開口を広げて、支持具２ａ，２ｂを第二弱め線７ａ，７ｂで折曲する点も相違がない。しかしながら、この際、第二弱め線７ａ，７ｂが上方に延びているので、第二弱め線７ａ，７ｂよりも下方にある第一弱め線６ａ，６ｂは山折りの状態となり、第二弱め線７ａ，７ｂよりも上方にある第一弱め線６ａ，６ｂは谷折りの状態になり、この点が異なる。そして、この状態で、カップの縁に左右舌片８ａ，８ｂ及び中央舌片９ａ，９ｂが係合するように載置すると、左右舌片８ａ，８ｂはカップの縁の内側に位置し、中央舌片９ａ，９ｂはカップの縁の外側に位置して係合する（図９）。したがって、安定にカップ上載置式支持具付き嗜好飲料抽出袋を載置することができる。その後は、図３〜図５の例と同様に、開口から熱湯を注いでコーヒー等を抽出するのである。
【符号の説明】
【００１８】
１      抽出袋
２      支持具
２ａ    支持具の片面（表面側）
２ｂ    支持具の他の片面（裏面側）
３      切り取り線
４ａ    接着部（表面側）
４ｂ    接着部（裏面側）
５      切除片
６ａ    第一弱め線（表面側）
６ｂ    第一弱め線（裏面側）
７ａ    第二弱め線（表面側）
７ｂ    第二弱め線（裏面側）
８ａ    左右舌片（表面側）
８ｂ    左右舌片（裏面側）
９ａ    中央舌片（表面側）
９ｂ    中央舌片（裏面側）
１０    カップ
【図１】
2012090775.tif 000003
【図２】
2012090775.tif 000004
【図３】
2012090775.tif 000005
【図４】
2012090775.tif 000006
【図５】
2012090775.tif 000007
【図６】
2012090775.tif 000008
【図７】
2012090775.tif 000009
【図８】
2012090775.tif 000010